(57)【要約】      （修正有）【課題】交換可能なポーチを有する再使用可能なシャフトを含む標本回収デバイスを提供する。【解決手段】標本回収デバイス１０は、ハウジング１２であって、ハウジングは、ハウジングから遠位方向に延びている外側シャフト１４を含む、ハウジングと、外側シャフト内に配置されている内側シャフト１６であって、内側シャフトは、少なくとも２つの支持部材を含み、少なくとも２つの支持部材のうちの少なくとも１つは支持部材インターフェイス部材を含む、内側シャフトと、少なくとも２つの支持部材に解放可能に連結可能なポーチ１８とを含み、ポーチは１対の開口部を含み、１対の開口部はポーチにおいて提供されるスリーブに通じ、ポーチは少なくとも１つのポーチインターフェイス部材をさらに含み、少なくとも１つのポーチインターフェイス部材は支持部材インターフェイス部材を係合し、少なくとも２つの支持部材からのポーチの不注意な係合解除を防止する。【選択図】図１
2015000341.tif 000002
【特許請求の範囲】
【請求項１】
標本回収デバイスであって、該標本回収デバイスは、
ハウジングであって、該ハウジングは、該ハウジングから遠位方向に延びている外側シャフトを含む、ハウジングと、
該外側シャフト内に配置されている内側シャフトであって、該内側シャフトは、少なくとも２つの支持部材を含み、該少なくとも２つの支持部材のうちの少なくとも１つは、支持部材インターフェイス部材を含む、内側シャフトと、
該少なくとも２つの支持部材に解放可能に連結可能なポーチと
を含み、該ポーチは、近位端を有するシンチを含み、該近位端は、使用者による把持のために該外側シャフトを通過可能であり、該ポーチは、１対の開口部を含み、該１対の開口部は、該ポーチにおいて提供されるスリーブに通じ、該開口部の各々は、該少なくとも２つの支持部材のうちのそれぞれの１つを受け取るように構成されており、該ポーチは、少なくとも１つのポーチインターフェイス部材をさらに含み、該少なくとも１つのポーチインターフェイス部材は、該支持部材インターフェイス部材を係合し、該少なくとも２つの支持部材からの該ポーチの不注意な係合解除を防止する、標本回収デバイス。
【請求項２】
少なくとも１つの部材における少なくとも１つの支持部材インターフェイス部材は、タブ部分の形態である、請求項１に記載の標本回収デバイス。
【請求項３】
前記シンチの遠位端は、ポーチの穿孔部分に固定されている、請求項１に記載の標本回収デバイス。
【請求項４】
前記ポーチの前記穿孔部分に隣接して位置している該ポーチの頂部部分は、該ポーチを前記少なくとも２つの支持部材上に装填するために、圧縮性である、請求項３に記載の標本回収デバイス。
【請求項５】
前記シンチの前記近位端は、細長い構成を有する縫合糸ガイドに連結されている、請求項１に記載の標本回収デバイス。
【請求項６】
前記縫合糸ガイドは、前記外側シャフトを通って延びている少なくとも１つの管腔を通して受け取り可能である、請求項５に記載の標本回収デバイス。
【請求項７】
前記少なくとも１つの管腔は、前記内側シャフトを受け取るように構成されている第１の管腔と、該第１の管腔と平行して延びている第２の管腔とによってさらに規定され、該第２の管腔は、前記縫合糸ガイドを受け取るように構成されている、請求項６に記載の標本回収デバイス。
【請求項８】
前記少なくとも２つの支持部材の各々は、支持部材インターフェイス部材を含み、前記ポーチインターフェイス部材は、少なくとも２つの対応するポケットを含み、該少なくとも２つの対応するポケットは、該支持部材インターフェイス部材のうちのそれぞれの１つを係合するように構成されている、請求項１に記載の標本回収デバイス。
【請求項９】
前記ポーチインターフェイス部材は、少なくとも１つの対応するポケットを含む、請求項１に記載の標本回収デバイス。
【請求項１０】
標本回収デバイスであって、該標本回収デバイスは、
ハウジングであって、該ハウジングは、該ハウジングから遠位方向に延びている外側シャフトを含む、ハウジングと、
該外側シャフト内に配置されている内側シャフトであって、該内側シャフトは、少なくとも２つの支持部材を含み、該少なくとも２つの支持部材のうちの少なくとも１つは、支持部材インターフェイス部材を含む、内側シャフトと、
該少なくとも２つの支持部材に解放可能に連結可能なポーチと
を含み、該ポーチは、１対の開口部を含み、該１対の開口部は、該ポーチにおいて提供されるスリーブに通じ、該開口部の各々は、該少なくとも２つの支持部材のうちのそれぞれの１つを受け取って、少なくとも１つの部材における該支持部材インターフェイス部材が、該ポーチにおける対応するポケットを係合することを可能にするように構成されており、
該外側シャフト内での該内側シャフトの後退は、該少なくとも２つの支持部材が互いに対して圧縮することをもたらして、使用者が該ポーチを該少なくとも２つの支持部材に連結することを可能にする、標本回収デバイス。
【請求項１１】
前記ポーチは、近位端を有するシンチを含み、該近位端は、使用者による把持のために、前記外側シャフトを通過可能である、請求項１０に記載の標本回収デバイス。
【請求項１２】
前記少なくとも１つの部材における少なくとも１つの支持部材インターフェイス部材は、タブ部分の形態である、請求項１０に記載の標本回収デバイス。
【請求項１３】
前記シンチの遠位端は、ポーチの穿孔部分に沿って固定されている、請求項１０に記載の標本回収デバイス。
【請求項１４】
前記シンチの前記近位端は、細長い構成を有する縫合糸ガイドに連結されている、請求項１０に記載の標本回収デバイス。
【請求項１５】
前記縫合糸ガイドは、前記外側シャフトを通って延びている少なくとも１つの管腔を通して受け取り可能である、請求項１４に記載の標本回収デバイス。
【請求項１６】
前記少なくとも１つの管腔は、前記内側シャフトを受け取るように構成されている第１の管腔と、該第１の管腔と平行して延びている第２の管腔とによってさらに規定され、該第２の管腔は、前記縫合糸ガイドを受け取るように構成されている、請求項１５に記載の標本回収デバイス。
【請求項１７】
前記縫合糸ガイドは、前記第２の管腔を通して該縫合糸ガイドを移動させることを容易にするために重くされている、請求項１６に記載の標本回収デバイス。
【請求項１８】
前記少なくとも２つの支持部材の各々は、支持部材インターフェイス部材を含み、前記ポーチは、少なくとも２つの対応するポケットを含み、該少なくとも２つの対応するポケットは、該支持部材インターフェイス部材のうちのそれぞれの１つを係合するように構成されている、請求項１０に記載の標本回収デバイス。
【請求項１９】
前記内側シャフトは、近位端にフィンガーリングを含む、請求項１０に記載の標本回収デバイス。
【請求項２０】
標本回収デバイスであって、該標本回収デバイスは、
ハウジングであって、該ハウジングは、該ハウジングから遠位方向に延びている外側シャフトを含む、ハウジングと、
該外側シャフト内に配置されている内側シャフトであって、該内側シャフトは、少なくとも２つの支持部材を含むばねを含み、該少なくとも２つの支持部材のうちの少なくとも１つは、支持部材インターフェイス部材を含む、内側シャフトと、
該少なくとも２つの支持部材に解放可能に連結可能なポーチと
を含み、該ポーチは、圧縮性頂部部分を含み、該圧縮性頂部部分は、該ポーチの開口部を規定するための圧縮されていない状態から、該支持部材への該ポーチの連結を可能にするための圧縮された状態に移動可能であり、該ポーチは、１対の開口部を含み、該１対の開口部は、該ポーチにおいて提供されるスリーブに通じ、該開口部の各々は、該少なくとも２つの支持部材のうちのそれぞれの１つを受け取って、少なくとも１つの支持部材における該支持部材インターフェイス部材が、該ポーチにおける対応するポケットを係合することを可能にするように構成されており、
該外側シャフト内での該内側シャフトの後退は、該少なくとも２つの支持部材が互いに対して圧縮することをもたらして、使用者が該ポーチを該少なくとも２つの支持部材に連結することを可能にする、標本回収デバイス。
【発明の詳細な説明】
【技術分野】
【０００１】
関連出願への相互参照
本願は、２０１３年６月１４日に出願された米国仮特許出願第６１／８３４，９２３号の利益および上記仮特許出願に対する優先権を主張し、その開示全体は、本明細書中で参考として援用される。
【０００２】
背景
技術分野
本開示は、標本回収デバイスに関する。より詳しくは、本開示は、交換可能なポーチを有する再使用可能なシャフトを含む標本回収デバイスに関する。
【背景技術】
【０００３】
関連技術の背景
腹腔鏡外科手術手順および内視鏡外科手術手順は、最小限に侵襲性の手順であり、これらの手順において、手術は、身体における小さい入口またはアクセス開口部（例えば、身体の天然の通路によって規定される開口部、組織貫通器具（例えば、トロカール）によって作り出される開口部など）を通して挿入される細長い器具によって身体内で実施される。
【０００４】
最小限に侵襲性の手順は、身体の内部から身体組織または器官を部分的または完全に除去するためにしばしば使用される（例えば、腎摘除術、胆嚢摘除術、十二指腸切除術、回腸切除術、空腸切除術、および他のそのような手順）。そのような手順中、冒された組織または器官が、皮膚におけるアクセス開口部を介して、またはカニューレを通して除去されなければならないことは、一般的である。様々なタイプのエントラップメントデバイスが、この手順を容易にするために当該分野において公知である。
【０００５】
従来のエントラップメントデバイスは、代表的に、細長いアプリケーターを含み、この細長いアプリケーターは、その近位端にハンドルを含み、このハンドルは、ポーチまたは他の適切なデバイスをアプリケーターの遠位端から配備するために動作可能である。ポーチは、穿孔され得、穿孔に沿ってばね部材に解放可能に連結させられ得る。ポーチにおける穿孔の結果として、ポーチは、穿孔に沿って裂くことによってばね部材から分離され得る。ポーチの頂部部分は、ポーチがそこから分離された後、ばね上にとどまり、この頂部部分は、代表的に、内側シャフトからの除去のために構成されていない。従って、内側シャフトは、再使用可能ではなく、従って、処分される。
【発明の概要】
【課題を解決するための手段】
【０００６】
概要
認識され得るように、交換可能なポーチを有する再使用可能なシャフトを含む標本回収デバイスは、外科手術場面において、有用であり得る。
【０００７】
本開示の局面は、標本回収デバイスを提供する。標本回収デバイスは、ハウジングを含み、このハウジングは、そこから遠位方向に延びている外側シャフトを含む。内側シャフトは、外側シャフト内に配置され、２つ以上の部材を含むばねを含む。内側シャフトは、近位端にフィンガーリングを含み得る。部材のうちの一方または両方は、支持部材インターフェイス部材を含む。ポーチは、部材に解放可能に連結可能であり、近位端を有するシンチを含み、この近位端は、使用者による把持のために外側シャフトを通過可能である。ポーチは、１対の開口部を含み、１対の開口部は、ポーチにおいて提供されるスリーブに通じている。開口部の各々は、部材のうちのそれぞれの１つを受け取って、部材（複数可）における支持部材インターフェイス部材が、対応するポーチインターフェイス部材（例えば、ポーチにおけるポケット）を係合することを可能にするように構成されている。支持部材インターフェイス部材は、タブ部分の形態であり得る。
【０００８】
シンチの遠位端は、ポーチの穿孔部分に固定され得る。ポーチの頂部部分は、ポーチの穿孔部分に隣接して位置し得、ポーチを部材上に装填するために、圧縮性であり得る。シンチの近位端は、細長い構成を有する縫合糸ガイドに連結され得る。縫合糸ガイドは、外側シャフトを通って延びている１つ以上の管腔を通して受け取り可能であり得る。管腔（複数可）は、内側シャフトを受け取るように構成されている第１の管腔と、第１の管腔と平行して延びている第２の管腔とによってさらに規定され得、この第２の管腔は、縫合糸ガイドを受け取るように構成されている。
【０００９】
部材の各々は、支持部材インターフェイス部材を含み得、ポーチは、２つの対応するポケットを含み得、２つの対応するポケットは、支持部材インターフェイス部材のうちのそれぞれの１つを係合するように構成されている。
【００１０】
本開示の局面は、標本回収デバイスを提供する。標本回収デバイスは、ハウジングを含み、このハウジングは、そこから遠位方向に延びている外側シャフトを含む。内側シャフトは、外側シャフト内に配置され、２つ以上の部材を含むばねを含む。内側シャフトは、近位端にフィンガーリングを含み得る。部材のうちの一方または両方は、支持部材インターフェイス部材を含む。ポーチは、部材に解放可能に連結可能である。ポーチは、圧縮性頂部部分を含み得、この圧縮性頂部部分は、ポーチの開口部を規定するための圧縮されていない状態から、部材へのポーチの連結を可能にするための圧縮された状態に移動可能である。ポーチは、１対の開口部を含み、この１対の開口部は、ポーチにおいて提供されるスリーブに通じている。開口部の各々は、部材のうちのそれぞれの１つを受け取って、部材（複数可）における支持部材インターフェイス部材がポーチにおける対応するポケットを係合することを可能にするように構成されている。外側シャフト内での内側シャフトの後退は、部材が互いに対して圧縮することをもたらして、使用者がポーチを部材に連結することを可能にする。
【００１１】
ポーチは、近位端を有するシンチを含み得、この近位端は、使用者による把持のために、外側シャフトを通過可能である。シンチの遠位端は、ポーチの穿孔部分に固定されている。
【００１２】
部材（複数可）における支持部材インターフェイス部材は、タブ部分の形態であり得る。シンチの近位端は、細長い構成を有する縫合糸ガイドに連結されている。縫合糸ガイドは、外側シャフトを通って延びている１つ以上の管腔を通して受け取り可能であり得る。縫合糸ガイドは、第２の管腔を通して縫合糸ガイドを移動させることを容易にするために重くされている。管腔は、内側シャフトを受け取るように構成されている第１の管腔と、第１の管腔と平行して延びている第２の管腔とによってさらに規定され得、この第２の管腔は、縫合糸ガイドを受け取るように構成されている。
【００１３】
部材の各々は、支持部材インターフェイス部材を含み得、ポーチは、２つの対応するポケットを含み得、２つの対応するポケットは、支持部材インターフェイス部材のうちのそれぞれの１つを係合するように構成されている。
【００１４】
本開示の局面は、標本回収デバイスを提供する。標本回収デバイスは、ハウジングを含み、このハウジングは、そこから遠位方向に延びている外側シャフトを含む。内側シャフトは、外側シャフト内に配置され、２つ以上の支持部材を含むばねを含む。内側シャフトは、近位端にフィンガーリングを含み得る。支持部材のうちの一方または両方は、支持部材インターフェイス部材を含む。ポーチは、支持部材に解放可能に連結可能である。ポーチは、圧縮性頂部部分を含み得、この圧縮性頂部部分は、ポーチの開口部を規定するための圧縮されていない状態から、支持部材へのポーチの連結を可能にするための圧縮された状態に移動可能である。ポーチは、１対の開口部を含み、この１対の開口部は、ポーチにおいて提供されるスリーブに通じている。開口部の各々は、支持部材のうちのそれぞれの１つを受け取って、支持部材（複数可）における支持部材インターフェイス部材がポーチにおける対応するポケットを係合することを可能にするように構成されている。外側シャフト内での内側シャフトの後退は、支持部材が互いに対して圧縮することをもたらして、ポーチが圧縮された状態にある場合に使用者がポーチを支持部材に連結することを可能にする。
【００１５】
本発明は、例えば以下の項目を提供する。
（項目１）
標本回収デバイスであって、該標本回収デバイスは、
ハウジングであって、該ハウジングは、該ハウジングから遠位方向に延びている外側シャフトを含む、ハウジングと、
該外側シャフト内に配置されている内側シャフトであって、該内側シャフトは、少なくとも２つの支持部材を含み、該少なくとも２つの支持部材のうちの少なくとも１つは、支持部材インターフェイス部材を含む、内側シャフトと、
該少なくとも２つの支持部材に解放可能に連結可能なポーチと
を含み、該ポーチは、近位端を有するシンチを含み、該近位端は、使用者による把持のために該外側シャフトを通過可能であり、該ポーチは、１対の開口部を含み、該１対の開口部は、該ポーチにおいて提供されるスリーブに通じ、該開口部の各々は、該少なくとも２つの支持部材のうちのそれぞれの１つを受け取るように構成されており、該ポーチは、少なくとも１つのポーチインターフェイス部材をさらに含み、該少なくとも１つのポーチインターフェイス部材は、該支持部材インターフェイス部材を係合し、該少なくとも２つの支持部材からの該ポーチの不注意な係合解除を防止する、標本回収デバイス。
（項目２）
少なくとも１つの部材における少なくとも１つの支持部材インターフェイス部材は、タブ部分の形態である、上記項目に記載の標本回収デバイス。
（項目３）
上記シンチの遠位端は、ポーチの穿孔部分に固定されている、上記項目のうちのいずれか一項に記載の標本回収デバイス。
（項目４）
上記ポーチの上記穿孔部分に隣接して位置している該ポーチの頂部部分は、該ポーチを上記少なくとも２つの支持部材上に装填するために、圧縮性である、上記項目のうちのいずれか一項に記載の標本回収デバイス。
（項目５）
上記シンチの上記近位端は、細長い構成を有する縫合糸ガイドに連結されている、上記項目のうちのいずれか一項に記載の標本回収デバイス。
（項目６）
上記縫合糸ガイドは、上記外側シャフトを通って延びている少なくとも１つの管腔を通して受け取り可能である、上記項目のうちのいずれか一項に記載の標本回収デバイス。
（項目７）
上記少なくとも１つの管腔は、上記内側シャフトを受け取るように構成されている第１の管腔と、該第１の管腔と平行して延びている第２の管腔とによってさらに規定され、該第２の管腔は、上記縫合糸ガイドを受け取るように構成されている、上記項目のうちのいずれか一項に記載の標本回収デバイス。
（項目８）
上記少なくとも２つの支持部材の各々は、支持部材インターフェイス部材を含み、上記ポーチインターフェイス部材は、少なくとも２つの対応するポケットを含み、該少なくとも２つの対応するポケットは、該支持部材インターフェイス部材のうちのそれぞれの１つを係合するように構成されている、上記項目のうちのいずれか一項に記載の標本回収デバイス。
（項目９）
上記ポーチインターフェイス部材は、少なくとも１つの対応するポケットを含む、上記項目のうちのいずれか一項に記載の標本回収デバイス。
（項目１０）
標本回収デバイスであって、該標本回収デバイスは、
ハウジングであって、該ハウジングは、該ハウジングから遠位方向に延びている外側シャフトを含む、ハウジングと、
該外側シャフト内に配置されている内側シャフトであって、該内側シャフトは、少なくとも２つの支持部材を含み、該少なくとも２つの支持部材のうちの少なくとも１つは、支持部材インターフェイス部材を含む、内側シャフトと、
該少なくとも２つの支持部材に解放可能に連結可能なポーチと
を含み、該ポーチは、１対の開口部を含み、該１対の開口部は、該ポーチにおいて提供されるスリーブに通じ、該開口部の各々は、該少なくとも２つの支持部材のうちのそれぞれの１つを受け取って、少なくとも１つの部材における該支持部材インターフェイス部材が、該ポーチにおける対応するポケットを係合することを可能にするように構成されており、
該外側シャフト内での該内側シャフトの後退は、該少なくとも２つの支持部材が互いに対して圧縮することをもたらして、使用者が該ポーチを該少なくとも２つの支持部材に連結することを可能にする、標本回収デバイス。
（項目１１）
上記ポーチは、近位端を有するシンチを含み、該近位端は、使用者による把持のために、上記外側シャフトを通過可能である、上記項目のうちのいずれか一項に記載の標本回収デバイス。
（項目１２）
上記少なくとも１つの部材における少なくとも１つの支持部材インターフェイス部材は、タブ部分の形態である、上記項目のうちのいずれか一項に記載の標本回収デバイス。
（項目１３）
上記シンチの遠位端は、ポーチの穿孔部分に沿って固定されている、上記項目のうちのいずれか一項に記載の標本回収デバイス。
（項目１４）
上記シンチの上記近位端は、細長い構成を有する縫合糸ガイドに連結されている、上記項目のうちのいずれか一項に記載の標本回収デバイス。
（項目１５）
上記縫合糸ガイドは、上記外側シャフトを通って延びている少なくとも１つの管腔を通して受け取り可能である、上記項目のうちのいずれか一項に記載の標本回収デバイス。
（項目１６）
上記少なくとも１つの管腔は、上記内側シャフトを受け取るように構成されている第１の管腔と、該第１の管腔と平行して延びている第２の管腔とによってさらに規定され、該第２の管腔は、上記縫合糸ガイドを受け取るように構成されている、上記項目のうちのいずれか一項に記載の標本回収デバイス。
（項目１７）
上記縫合糸ガイドは、上記第２の管腔を通して該縫合糸ガイドを移動させることを容易にするために重くされている、上記項目のうちのいずれか一項に記載の標本回収デバイス。
（項目１８）
上記少なくとも２つの支持部材の各々は、支持部材インターフェイス部材を含み、上記ポーチは、少なくとも２つの対応するポケットを含み、該少なくとも２つの対応するポケットは、該支持部材インターフェイス部材のうちのそれぞれの１つを係合するように構成されている、上記項目のうちのいずれか一項に記載の標本回収デバイス。
（項目１９）
上記内側シャフトは、近位端にフィンガーリングを含む、上記項目のうちのいずれか一項に記載の標本回収デバイス。
（項目２０）
標本回収デバイスであって、該標本回収デバイスは、
ハウジングであって、該ハウジングは、該ハウジングから遠位方向に延びている外側シャフトを含む、ハウジングと、
該外側シャフト内に配置されている内側シャフトであって、該内側シャフトは、少なくとも２つの支持部材を含むばねを含み、該少なくとも２つの支持部材のうちの少なくとも１つは、支持部材インターフェイス部材を含む、内側シャフトと、
該少なくとも２つの支持部材に解放可能に連結可能なポーチと
を含み、該ポーチは、圧縮性頂部部分を含み、該圧縮性頂部部分は、該ポーチの開口部を規定するための圧縮されていない状態から、該支持部材への該ポーチの連結を可能にするための圧縮された状態に移動可能であり、該ポーチは、１対の開口部を含み、該１対の開口部は、該ポーチにおいて提供されるスリーブに通じ、該開口部の各々は、該少なくとも２つの支持部材のうちのそれぞれの１つを受け取って、少なくとも１つの支持部材における該支持部材インターフェイス部材が、該ポーチにおける対応するポケットを係合することを可能にするように構成されており、
該外側シャフト内での該内側シャフトの後退は、該少なくとも２つの支持部材が互いに対して圧縮することをもたらして、使用者が該ポーチを該少なくとも２つの支持部材に連結することを可能にする、標本回収デバイス。
【００１６】
（摘要）
標本回収デバイスが提供される。標本回収デバイスは、ハウジングを含み、このハウジングは、そこから遠位方向に延びている外側シャフトを含む。内側シャフトは、外側シャフト内に配置され、２つ以上の部材を含むばねを含む。部材のうちの一方または両方は、支持部材インターフェイス部材を含む。ポーチは、部材に解放可能に連結可能であり、近位端を有するシンチを含み、この近位端は、使用者による把持のために、外側シャフトを通過可能である。ポーチは、１対の開口部を含み、この１対の開口部は、ポーチにおいて提供されるスリーブに通じている。開口部の各々は、部材のうちのそれぞれの１つを受け取って、部材（複数可）における支持部材インターフェイス部材がポーチにおける対応するポケットを係合することを可能にするように構成されている。
【００１７】
本開示の標本回収デバイスの実施形態は、図面を参照して以下に記載される。
【図面の簡単な説明】
【００１８】
【図１】図１は、本開示の実施形態に従う、標本回収デバイスに連結されているポーチを含む標本回収デバイスの側面図である。
【図２】図２は、標本回収デバイスに連結されているポーチのない、図１に示される標本回収デバイスの上面立面図である。
【図３】図３は、図１に示されるポーチの斜視図である。
【発明を実施するための形態】
【００１９】
実施形態の詳細な説明
次に、本開示の実施形態が、図面を参照して詳細に記載され、図面において、類似の参照数字は、数枚の図の各々における、同一の要素または対応する要素を表す。本明細書中で用いられる場合、遠位という用語は、使用者から最も遠い、器具の部分を指し、近位という用語は、使用者に最も近い、器具の部分を指す。以下の記載において、周知の機能または構築は、本開示を不必要な詳細で不明瞭にすることを避けるために詳細に記載されない。
【００２０】
本開示を参照して本明細書中で用いられる場合、腹腔鏡および内視鏡という用語は、交換可能であり、カニューレまたは皮膚における小さい切開への挿入のための比較的細い動作部分を有する器具を指す。それらは、最小限に侵襲性の外科手術手順も指す。本開示は、最小限に侵襲性の手順におけるのと同様に、カニューレを使用して、または使用することなく、身体の内部へのアクセスが比較的小さい切開に限定される任意の手順における使用を見出し得ることが考えられる。
【００２１】
図１〜図３を参照し、最初に図１を参照すると、本開示の実施形態に従う標本回収デバイス１０が例示されている。標本回収デバイス１０は、ハウジング１２と、外側シャフト１４と、内側シャフト１６（内側シャフト１６は、図１に想像線で示される）とを含む。標本回収デバイス１０（およびそれに関連付けられる構成要素）は、任意の適切な生体適合性材料（例えば、プラスチック）から形成され得る。実施形態において、射出成形製造プロセスが、ハウジング１２、外側シャフト１４、および内側シャフト１６を形成するために利用され得る。
【００２２】
図１を引き続き参照すると、ハウジング１２は、ほぼ細長い構成を含み、一体の構成要素として、または２つの別個の半体構成要素として形成され得、２つの別個の半体構成要素は、１つ以上の適切な連結方法（例えば、超音波溶接、１つ以上の適切な接着剤）によって互いに連結されている。後者の例において、インデント／移動止め構成（明示的に示されない）が、２つの別個の半体構成要素を連結することを容易にするために利用され得る。ハウジング１２は、１対の対向する側方延長１３ａ、１３ｂを含み、１対の対向する側方延長１３ａ、１３ｂは、標本回収デバイス１０の操作を容易にするために、使用者が把持するためのハンドルとして役立ち得る（図１および図２）。
【００２３】
外側シャフト１４は、ハウジング１２から遠位方向に延び、ほぼ管状の構成を含み、このほぼ管状の構成は、それを通って規定される長手方向軸「Ａ−Ａ」を有する。長手方向軸「Ａ−Ａ」は、長手方向軸「Ｂ−Ｂ」に関して、異なる（例えば、実質的に垂直または直交）方向に配向され、この長手方向軸「Ｂ−Ｂ」は、ポーチ１８が内側シャフト１６に連結され、開放構成（図１）にある場合のポーチ１８を通って規定される。
【００２４】
外側シャフト１４は、内視鏡手順または腹腔鏡手順のために、トロカールカニューレ（または天然の身体オリフィス）を通した挿入のための寸法にされている。外側シャフト１４は、１つ以上の適切な連結方法（例えば、接着剤、超音波溶接など）を介してハウジング１２に動作可能に連結している。しかし、外側シャフト１４は、ハウジング１２と一体式に形成され得る。
【００２５】
外側シャフト１４は、第１の管腔１５ａと第２の管腔１５ｂとを含む（図１に想像線で示される）。第１の管腔１５ａは、外側シャフトの長さに沿って延び、第１の管腔１５ａ内で内側シャフト１６の並進を可能にするために、内側シャフト１６を支持するように構成されている。第２の管腔１５ｂは、外側シャフト１４の長さに沿って延び、第１の管腔１５ａに関して平行に配向されている。第２の管腔１５ｂは、より詳細に下で議論されるように、ポーチ１８が内側シャフト１６に連結されている場合、ポーチ１８のシンチを受け取るように構成されている。
【００２６】
内側シャフト１６は、ほぼ細長い構成を含み、ポーチ１８を目的の組織に隣接して移動させるために、外側シャフト１４内で並進可能である。内側シャフト１６の近位端１１は、フィンガーループ１９を含み、このフィンガーループ１９は、臨床医の指を受け取るように構成されている。
【００２７】
内側シャフト１６の遠位端は、１つの適切な連結方法を介して、または１つ以上の適切な連結方法を介して、支持部材を含み、この支持部材は、ばね２０（または他の適切なデバイス）の形態であり得る（図１および図２）。例示されている実施形態において、例えば、内側シャフト１６の遠位端は、ばね２０の近位端にオーバーモールドされる。他の連結方法も、ばね２０を内側シャフト１６の遠位端に連結するために利用され得る。例えば、１つ以上のピン、リベットなどが、ばね２０の近位端を内側シャフト１６の遠位端に連結するために利用され得る。
【００２８】
図２を参照すると、ばね２０は、２つの可撓な、または弾力的な部材２２および２４を含み、これらの部材２２および２４は、開放フォーク構成を形成する。弾力的な部材２２、２４は、応力を加えられた状態または拡張されていない状態（明示的に示されない）から応力を加えられていない状態または拡張された状態に移動するように構成されている。特に、使用者がフィンガーループ１９を近位方向に移動させる場合、内側シャフト１６は、第１の管腔１５ａ内を近位方向に移動し、弾力的な部材２２、２４は、その内部表面に接触する（例えば、外側シャフト１４の遠位端において）。第１の管腔１５ａ内での内側シャフト１６の引き続きの近位方向移動は、弾力的な部材２２、２４が互いに対して実質的に平行に配向されるように、弾力的な部材２２、２４を互いに対して接近させる。弾力的な部材２２、２４がこの位置にある状態で、使用者は、ポーチ１８をばね２０の弾力的な部材２２、２４に解放可能に連結し得る。
【００２９】
弾力的な部材２２、２４の各々は、タブ２３ａ、２３ｂの形態における支持部材インターフェイス部材を含み、タブ２３ａ、２３ｂは、ポーチ１８をばね２０の弾力的な部材２２、２４に固定するように構成されており、他の支持部材インターフェイス部材も利用され得る。例えば、支持部材インターフェイス部材は、移動止め、フック、突出部などの形態であり得る。ポーチ１８が弾力的な部材２２、２４に固定されると、弾力的な部材２２、２４は、ポーチ１８の開口部２５の周囲を支持するためのほぼ円形または「フープのような」構成を集合的に形成するために、それらの応力を加えられていない状態または拡張された状態を自動的にとる（図１および図２）。
【００３０】
図３を参照すると、ポーチ１８は、不浸透性の可撓な膜を形成することができる任意の適切な生体適合性材料（例えば、ナイロン）から作製され得る。ポーチ１８は、ほぼ管状または細長い構成を含み、このほぼ管状または細長い構成は、開放可能で閉鎖可能な上方部分または口２６と閉鎖下方部分２１とによって規定される。上方部分２６は、円周スリーブ１７を含む。スリーブ１７は、上方部分２６をポーチ１８の内部に折りたたみ、その後、ポーチ１８の内部に上方部分２６を溶接することによって、ポーチ１８において形成され得る。
【００３１】
スリーブ１７に通じている１対の開口部２８ａ、２８ｂ（開口部２８ｂは、図３に明示的に示されない）が、ポーチ１８において提供される。開口部２８ａ、２８ｂは、臨床医が、弾力的な部材２２、２４を覆ってスリーブ１７をスライドさせることを可能にするために、ばね２０のそれぞれの弾力的な部材２２、２４を受け取るように構成されている。特に、弾力的な部材２２、２４が応力を加えられた状態にある場合（例えば、弾力的な部材２２、２４は、互いに対して接近させられている）、臨床医は、タブ２３ａ、２３ｂが、スリーブ１７に隣接して上方部分２６において提供されるそれぞれのポケット３０ａ、３０ｂを係合するまで、弾力的な部材２２、２４を覆ってスリーブ１７をスライドさせ得る。タブ２３ａ、２３ｂがポケット３０ａ、３０ｂを係合すると、臨床医は、ばね２０の弾力的な部材２２、２４を含む内側シャフト１６を遠位方向に移動させ得る。内側シャフト１６の引き続きの遠位方向移動は、弾力的な部材２２、２４が、応力を加えられていない構成に自動的に移動して戻ることをもたらし、次に、組織を受け取るために、ポーチ１８を開放構成に置く。
【００３２】
ポーチ１８の穿孔部分３１は、スリーブ１７と、ポーチ１８に沿って円周方向に延びているチャネル３３との間に提供される。チャネル３３は、その中にシンチ（例えば、縫合糸「Ｓ」、スレッド、ワイヤー、ケーブルなど）の一部分を含み、このシンチは、組織がポーチ１８内に位置決めされた後、ポーチ１８を締めるために利用される。
【００３３】
特に、縫合糸「Ｓ」の遠位端は、１つ以上の適切な連結方法（例えば、接着剤、溶接など）を介してチャネル３３内でポーチ１８に連結され、縫合糸「Ｓ」の近位端は、縫合糸ガイド３２に連結され、この縫合糸ガイド３２は、外側シャフト１４の第２の管腔１５ｂ内に位置決め可能である。縫合糸ガイド３２は、第２の管腔１５ｂの遠位端を通って挿入可能であり、第２の管腔１５ｂの近位端から出るために、第２の管腔１５ｂの内部表面に沿ってスライド可能である。例示されている実施形態において、縫合糸ガイド３２は、縫合糸ガイド３２が第２の管腔１５ｂの中に挿入された後、臨床医が外側シャフト１４の遠位端を長手方向軸「Ａ−Ａ」より上に移動させた（例えば、外側シャフト１４の遠位端をほぼ直立した構成に移動させる）場合、縫合糸ガイド３２が第２の管腔１５ｂを通ってスライドすることを可能にするために、重くされている。
【００３４】
使用において、臨床医は、上に記載されるような態様で弾力的な部材２２、２４が互いに向かって移動するように、内側シャフト１６を近位方向に移動させて、ばね２０および弾力的な部材２２、２４を後退させ得る。その後、ばね２０の弾力的な部材２２、２４は、スリーブ１７のそれぞれの開口部２８ａ、２８ｂの中に挿入され得、ポーチ１８は、弾力的な部材２２、２４におけるタブ２３ａ、２３ｂがスリーブ１７におけるポケット３０ａ、３０ｂを係合するようなときまで、ばね２０上へスライドし得る（またはその逆である）。
【００３５】
タブ２３ａ、２３ｂがポケット３０ａ、３０ｂを係合すると、次に、臨床医は、縫合糸ガイド３２を外側シャフト１４の第２の管腔１５ｂの中に挿入し得る。実施形態において、臨床医による把持のために、縫合糸ガイド３２が第２の管腔１５ｂの近位端から出るように、臨床医は、上に記載される態様で外側シャフト１４を持ち上げて、縫合糸ガイド３２を、第２の管腔１５ｂを通してスライドさせ得る。認識され得るように、縫合糸ガイド３２が、最初に第２の管腔１５ｂを通って挿入され得、次に、ポーチ１８がばね２０に連結可能である。
【００３６】
ポーチ１８がばね２０に連結された後、組織は、ポーチ１８内に位置決めされ得る。その後、臨床医は、縫合糸ガイド３２を把持し、それを近位方向に引っ張り得、それは、次に、ポーチ１８を閉じ、穿孔部分３１に沿ってポーチ１８を裂いて、スリーブ１７を依然として弾力的な部材２２、２４に連結されたままにする。縫合糸「Ｓ」は、次に、切断され得、内側シャフト１６および外側シャフト１４は、患者から除去され得る。締められたポーチ１８は、次に、患者から除去され得る。
【００３７】
別のポーチ１８が設置される必要がある例において、ポーチ１８の上方部分２６のスリーブ１７は、弾力的な部材２２、２４から除去され得、新しいポーチ１８が、上に記載される態様で、ばね２０に連結され得る。認識され得るように、新しいポーチ１８は、患者の体腔の内側または外側で、ばね２０に連結され得る。
【００３８】
従来の標本回収デバイスと違って、標本回収デバイス１０の内側シャフト１６は、次のポーチ１８に連結され得、さらなる目的の組織を除去するために利用され得る。認識され得るように、これは、組織除去手順に関連付けられる全体の手術費用を減少させ得る。標本回収デバイス１０はまた、外科医が、単一の器具を用いて複数の組織標本を除去することを可能にし、従って廃棄物を減らす。
【００３９】
前述のものから、および様々な図面を参照して、当業者は、特定の改変がまた、その範囲から外れることなく、本開示に対してなされ得ることを認識する。例えば、切断機構（示されない）は、ハウジング１２および／またはフィンガーループ１９の一部であり得、組織がポーチ１８内に位置決めされ、ポーチ１８が閉じられて、穿孔に沿って除去された後、縫合糸「Ｓ」を切るように構成され得る。
【００４０】
実施形態において、上方部分２６は、ポーチ１８の上方部分２６が、圧縮された状態と、圧縮されていない状態との間を移動することを可能にする圧縮性材料から形成され得る。この実施形態において、臨床医は、上方部分２６を強く握って、上方部分２６を圧縮し得、弾力的な部材２２、２４の受け取りのために開口部２８ａ、２８ｂを位置決めし得る。すなわち、圧縮された状態において、開口部２８ａ、２８ｂは、互いに対して実質的に平行して配向され、対応する弾力的な部材２２、２４とほぼ整列して置かれる。認識され得るように、これは、ポーチ１８をばね２０に連結することを容易にし得る。
【００４１】
さらに、実施形態において、弾力的な部材２２、２４のタブ２３ａ、２３ｂは、省略され得る。特に、ポーチ１８は、近位連結部分（示されない）を備え得、この近位連結部分は、開口部またはアパーチャを有し、この開口部またはアパーチャは、内側シャフト１６の遠位端に提供され得る保持ピンを係合する。この実施形態において、内側シャフト１６は、その遠位端付近に切欠きを有し、この切欠きは、近位切欠き面と遠位切欠き面とを規定する。
【００４２】
弾力的な部材２２、２４は、ポーチ１８のスリーブ１７を通って供給され得る。保持ピンは、ポーチ１８が内側シャフト１６の遠位端に取り付けられ、そこから不注意に係合解除されないように、切欠き面の間に完全に延び得る。
【００４３】
ポーチ１８がばね２０に連結された後、組織は、ポーチ１８内に位置決めされ得る。その後、臨床医は、縫合糸ガイド３２を把持し、それを近位方向に引っ張り得、それは、次に、ポーチ１８を閉じ、穿孔部分３１に沿ってポーチ１８を裂いて、スリーブ１７が依然として弾力的な部材２２、２４に連結されたままにする。縫合糸「Ｓ」は、次に、切断され得、内側シャフト１６および外側シャフト１４は、患者から除去され得る。締められたポーチ１８は、次に、患者から除去され得る。
【００４４】
この実施形態において、外側シャフト１４の第１の管腔１５ａ内での内側シャフト１６の近位方向移動は、ポーチ１８の一部分、例えば、スリーブ１７が外側シャフト１４の遠位端と接触することをもたらし、それは、次に、弾力的な部材２２、２４が、スリーブ１７からスライドして外れることをもたらす。認識され得るように、この実施形態は、内側シャフト１６および外側シャフト１４が患者の身体内に位置決めされたままで、新しいポーチ１８がばね２０に連結されることが必要とされる場合、特に有用である。
【００４５】
タブ２３ａ、２３ｂを含まないポーチ１８との使用のために構成されている標本回収デバイス１０の動作的構成要素のより詳細な記載について、Ｍａｌｋｏｗｓｋｉらによって２０１３年３月１日に出願された、発明の名称「Ｓｐｅｃｉｍｅｎ  Ｒｅｔｒｉｅｖａｌ  Ｄｅｖｉｃｅ  Ｗｉｔｈ  Ｐｏｕｃｈ  Ｓｔｏｐ」の米国特許出願第６１／７７１，１２９号、およびＭａｌｋｏｗｓｋｉらによって２０１３年３月１日に出願された、発明の名称「Ｓｐｅｃｉｍｅｎ  Ｒｅｔｒｉｅｖａｌ  Ｄｅｖｉｃｅ  Ｗｉｔｈ  Ｐｏｕｃｈ  Ｓｔｏｐ」の米国特許出願第６１／７７１１３８号に対して参照がなされ、それは、これにより、その全体が参考として援用される。
【００４６】
本開示のいつくかの実施形態が図面に示されてきたが、本開示は当該分野が許容するのと同じほど範囲が広いこと、および本明細書は同様に読まれることが意図されるので、本開示はそれらの実施形態に限定されることが意図されない。従って、上の記載は、限定するものではなく、単に特定の実施形態の例証と解釈されるべきである。当業者は、ここに添付される特許請求の範囲の趣旨および範囲内の他の改変を想定する。
【符号の説明】
【００４７】
１０  標本回収デバイス
１２  ハウジング
１４  外側シャフト
１６  内側シャフト
１８  ポーチ
【図１】
2015000341.tif 000003
【図２】
2015000341.tif 000004
【図３】
2015000341.tif 000005